(57)【要約】【課題】  基地局が送信する参照信号による干渉を低減すること。【解決手段】  基地局装置は、通信装置に測定させるための参照信号について、１つ以上のフレームに含まれる複数のサブフレームのうち、参照信号を送信するサブフレームと送信しないサブフレームとの少なくともいずれかを特定する情報を通信装置へ通知し、情報に基づいて、参照信号を送信しないサブフレームにおいては参照信号を送信せずに、参照信号を送信するサブフレームにおいて参照信号を送信する。【選択図】  図４
2015032996.tif 000002
【特許請求の範囲】
【請求項１】
通信装置に測定させるための参照信号について、１つ以上のフレームに含まれる複数のサブフレームのうち、当該参照信号を送信するサブフレームと送信しないサブフレームとの少なくともいずれかを特定する情報を通信装置へ通知する通知手段と、
前記情報に基づいて、前記参照信号を送信しないサブフレームにおいては当該参照信号を送信せずに、前記参照信号を送信するサブフレームにおいて当該参照信号を送信する送信手段と、
を有することを特徴とする基地局装置。
【請求項２】
前記情報は、前記複数のサブフレームのうち、前記参照信号を送信するサブフレームと送信しないサブフレームとを特定するビットマップを含む、
ことを特徴とする請求項１に記載の基地局装置。
【請求項３】
前記情報は、前記複数のサブフレームのうち、前記参照信号を送信しないサブフレームが生じる周期を示す情報を含む、
ことを特徴とする請求項１に記載の基地局装置。
【請求項４】
前記情報は、前記複数のサブフレームのうちどのサブフレームにおいて前記参照信号が送信されるか又は送信されないかが特定される予め定められた複数のパターンのうち、いずれのパターンに従って前記参照信号が送信されるかを特定する情報を含む、
ことを特徴とする請求項１に記載の基地局装置。
【請求項５】
前記情報は、前記１つ以上のフレームのうち、前記参照信号を送信するフレームと送信しないフレームとの少なくともいずれかを特定する情報を含む、
ことを特徴とする請求項１から４のいずれか１項に記載の基地局装置。
【請求項６】
他の基地局装置についての前記情報を収集する収集手段をさらに有し、
前記通知手段は、前記基地局装置についての前記情報と共に、前記他の基地局装置についての前記情報を、通信装置へ通知する、
ことを特徴とする請求項１から５のいずれか１項に記載の基地局装置。
【請求項７】
前記収集手段は、前記基地局装置によるセルの隣接セルに関する前記他の基地局装置についての前記情報を収集する、
ことを特徴とする請求項６に記載の基地局装置。
【請求項８】
送信すべきトラフィックの量に基づいて、前記参照信号を送信するサブフレームと送信しないサブフレームとを決定する決定手段をさらに有する、
ことを特徴とする請求項１から７のいずれか１項に記載の基地局装置。
【請求項９】
前記複数のサブフレームの少なくとも一部について前記参照信号の送信を停止する要求を、他の基地局装置から取得する取得手段と、
取得した前記要求に基づいて、前記参照信号を送信するサブフレームと送信しないサブフレームとを決定する決定手段と、
をさらに有することを特徴とする請求項１から７のいずれか１項に記載の基地局装置。
【請求項１０】
１つ以上の基地局装置から、１つ以上のフレームに含まれる複数のサブフレームのうち、当該基地局装置が参照信号を送信するサブフレームと送信しないサブフレームとの少なくともいずれかを特定する情報を取得する取得手段と、
前記基地局装置が前記参照信号を送信しないサブフレームにおいては前記参照信号の測定を行わず、前記基地局装置が前記参照信号を送信するサブフレームにおいて前記参照信号の測定を行う測定手段と、
を有することを特徴とする通信装置。
【請求項１１】
前記取得手段が、１つの基地局装置から、複数の基地局装置についての前記情報を取得し、
前記測定手段は、取得した情報に基づいて、前記複数の基地局装置の少なくとも一部の基地局装置について、当該少なくとも一部の基地局のいずれもが前記参照信号を送信しないサブフレームにおいては前記参照信号の測定を行わず、当該少なくとも一部の基地局のいずれかが前記参照信号を送信するサブフレームにおいて、前記参照信号の測定を行う、
ことを特徴とする請求項１０に記載の通信装置。
【請求項１２】
前記複数の基地局装置のうち、前記参照信号が所定値以上の電力で受信される基地局装置を特定する特定手段をさらに有し、
前記測定手段は、特定された基地局装置のいずれもが前記参照信号を送信しないサブフレームにおいては前記参照信号の測定を行わず、特定された基地局装置のいずれかが前記参照信号を送信するサブフレームにおいて、前記参照信号の測定を行う、
ことを特徴とする請求項１１に記載の通信装置。
【請求項１３】
前記取得手段は、複数の基地局装置のそれぞれから、それぞれの基地局装置についての前記情報を取得し、
前記測定手段は、前記複数の基地局装置のいずれもが前記参照信号を送信しないサブフレームにおいては前記参照信号の測定を行わず、前記複数の基地局装置のいずれかが前記参照信号を送信するサブフレームにおいて、前記参照信号の測定を行う、
ことを特徴とする請求項１０に記載の通信装置。
【請求項１４】
基地局装置の制御方法であって、
通知手段が、通信装置に測定させるための参照信号について、１つ以上のフレームに含まれる複数のサブフレームのうち、当該参照信号を送信するサブフレームと送信しないサブフレームとの少なくともいずれかを特定する情報を通信装置へ通知する通知工程と、
送信手段が、前記情報に基づいて、前記参照信号を送信しないサブフレームにおいては当該参照信号を送信せずに、前記参照信号を送信するサブフレームにおいて当該参照信号を送信する送信工程と、
を有することを特徴とする制御方法。
【請求項１５】
通信装置の制御方法であって、
取得手段が、１つ以上の基地局装置から、１つ以上のフレームに含まれる複数のサブフレームのうち、当該基地局装置が参照信号を送信するサブフレームと送信しないサブフレームとの少なくともいずれかを特定する情報を取得する取得工程と、
測定手段が、前記基地局装置が前記参照信号を送信しないサブフレームにおいては前記参照信号の測定を行わず、前記基地局装置が前記参照信号を送信するサブフレームにおいて前記参照信号の測定を行う測定工程と、
を有することを特徴とする制御方法。
【請求項１６】
基地局装置が有するコンピュータに、
通信装置に測定させるための参照信号について、１つ以上のフレームに含まれる複数のサブフレームのうち、当該参照信号を送信するサブフレームと送信しないサブフレームとの少なくともいずれかを特定する情報を通信装置へ通知する通知工程と、
前記情報に基づいて、前記参照信号を送信しないサブフレームにおいては当該参照信号を送信せずに、前記参照信号を送信するサブフレームにおいて当該参照信号を送信する送信工程と、
を実行させるためのプログラム。
【請求項１７】
通信装置が有するコンピュータに、
１つ以上の基地局装置から、１つ以上のフレームに含まれる複数のサブフレームのうち、当該基地局装置が参照信号を送信するサブフレームと送信しないサブフレームとの少なくともいずれかを特定する情報を取得する取得工程と、
前記基地局装置が前記参照信号を送信しないサブフレームにおいては前記参照信号の測定を行わず、前記基地局装置が前記参照信号を送信するサブフレームにおいて前記参照信号の測定を行う測定工程と、
を実行させるためのプログラム。
【発明の詳細な説明】
【技術分野】
【０００１】
本発明は無線通信システムにおける干渉制御技術に関する。
【背景技術】
【０００２】
移動通信システムにおいて、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の標準規格の１つである「ＬＴＥ（Ｌｏｎｇ  Ｔｅｒｍ  Ｅｖｏｌｕｔｉｏｎ）」が普及し始めている（非特許文献１）。また、近年、３ＧＰＰでは、ＬＴＥを更に高度化させた、ＬＴＥ−Ａｄｖａｎｃｅｄに関する検討が行われている。ＬＴＥ又はＬＴＥ−Ａｄｖａｎｃｅｄにおいては、基地局が送信する参照信号（ＣＲＳ、Ｃｅｌｌ−Ｓｐｅｃｉｆｉｃ  Ｒｅｆｅｒｅｎｃｅ  Ｓｉｇｎａｌ）が移動通信装置（端末）によって測定され、基地局への接続、チャネル推定等の用途で使用される。
【先行技術文献】
【非特許文献】
【０００３】
【非特許文献１】３ＧＰＰ  ＴＳ３６．２０１、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  ＬＴＥ  ｐｈｙｓｉｃａｌ  ｌａｙｅｒ；  Ｇｅｎｅｒａｌ  ｄｅｓｃｒｉｐｔｉｏｎ”、Ｖ１１．１．０、２０１２年１２月
【発明の概要】
【発明が解決しようとする課題】
【０００４】
ここで、基地局は、送信するデータがない場合にも、移動通信装置の接続性を確保するために、参照信号を送信し続けることが想定されている。この場合、例えば、図１に示すように、移動通信装置がサービング基地局からデータを受信する際に、隣接セルの基地局からの参照信号によって干渉を受けてしまうという課題があった。以下、この課題が生じる例について説明する。
【０００５】
図１の例では、基地局装置Ａ１０１は、移動通信装置１０２に対して参照信号とデータ信号とを送信している一方で、基地局装置Ｂ１０３は、データ信号を送信せずに参照信号を送信している。なお、図１の送信信号中、最小単位の正方形で示される時間・周波数区間はリソースエレメント（ＲＥ）である。そして、斜線で塗られた正方形は、例えばデータ信号部分を表し、黒塗りの正方形が参照信号を表している。基地局装置Ｂ１０３により送信される参照信号は、例えば移動通信装置１０４の基地局装置１０３への接続性を確保するために使用されるが、同時に、基地局装置１０１から移動通信装置１０２へ送信されるデータ信号に干渉することとなる。このため、移動通信装置１０２におけるデータの受信品質が劣化してしまう。
【０００６】
本発明は上記課題に鑑みてなされたものであり、参照信号による干渉を低減することを目的とする。
【課題を解決するための手段】
【０００７】
上記目的を達成するため、本発明による基地局装置は、通信装置に測定させるための参照信号について、１つ以上のフレームに含まれる複数のサブフレームのうち、当該参照信号を送信するサブフレームと送信しないサブフレームとの少なくともいずれかを特定する情報を通信装置へ通知する通知手段と、前記情報に基づいて、前記参照信号を送信しないサブフレームにおいては当該参照信号を送信せずに、前記参照信号を送信するサブフレームにおいて当該参照信号を送信する送信手段と、を有する。
【０００８】
上記目的を達成するため、本発明による通信装置は、１つ以上の基地局装置から、１つ以上のフレームに含まれる複数のサブフレームのうち、当該基地局装置が、当該参照信号を送信するサブフレームと送信しないサブフレームとの少なくともいずれかを特定する情報を取得する取得手段と、前記基地局装置が前記参照信号を送信しないサブフレームにおいては前記参照信号の測定を行わず、前記基地局装置が前記参照信号を送信するサブフレームにおいて前記参照信号の測定を行う測定手段と、を有する。
【発明の効果】
【０００９】
本発明によれば、参照信号による干渉を低減することが可能となる。
【図面の簡単な説明】
【００１０】
【図１】隣接基地局からの参照信号により干渉を受ける状態を示す概念図。
【図２】参照信号の送信制御の一例を示す概念図。
【図３】基地局装置又は移動通信装置のハードウェア構成例を示す図。
【図４】基地局装置の機能構成例を示すブロック図。
【図５】移動通信装置の機能構成例を示すブロック図。
【図６】参照信号を送信する又は送信しないサブフレームを通知する情報の第１の例を示す図。
【図７】参照信号を送信する又は送信しないサブフレームを通知する情報の第２の例を示す図。
【図８】参照信号を送信する又は送信しないサブフレームを通知する情報の第３の例を示す図。
【図９】基地局装置が実行する処理の流れを示すフローチャート。
【図１０】移動通信装置が実行する処理の流れを示すフローチャート。
【発明を実施するための形態】
【００１１】
以下、添付図面を参照して本発明の実施の形態を詳細に説明する。
【００１２】
本実施形態においては、基地局装置は、参照信号による隣接セルに存在する移動通信装置への干渉を抑制するために、一部のサブフレーム（ＳＦ）においてのみ参照信号を送信し、残りのＳＦでは参照信号を送信しないようにする。これにより、移動通信装置は、隣接セルの基地局装置からの参照信号による干渉を回避することができる。
【００１３】
しかしながら、移動通信装置が、基地局装置から参照信号が送信されていないことを知らずに参照信号の測定を行うと、その基地局装置からは十分な電力で信号を受信できないと判定し、その基地局装置へ接続することができなくなってしまう。このため、本実施形態では、基地局装置が、１つ以上のフレームに含まれる複数のサブフレーム（ＳＦ）のうち、参照信号を送信するＳＦと送信しないＳＦとの少なくともいずれかを特定する情報を移動通信装置へ通知する。そして、移動通信装置は、この通知された情報に基づいて、どのＳＦにおいて参照信号を測定すべきかを特定する。
【００１４】
具体的には、図２（ａ）〜（ｃ）に一例として示すように、基地局装置は、１つ以上のフレームを単位として、その中に含まれる複数のサブフレームを、参照信号を送信するＳＦと参照信号を送信しないＳＦとに分ける。例えば、図２（ａ）では、基地局装置は、各フレームの２番目のＳＦを参照信号が送信されないＳＦとして分類し、残りのＳＦを参照信号が送信されるＳＦとして分類する。そして、基地局装置は、この分類に応じた参照信号の送信制御の実行に先立って、参照信号が送信されるＳＦの情報と送信されないＳＦの情報との少なくともいずれかを移動通信装置へ通知する。移動通信装置は、通知された情報に基づいて、各フレームの２番目のＳＦでは参照信号を測定せず、他のＳＦにおいて参照信号を測定するようにする。これにより、２番目のＳＦにおいては、参照信号による干渉を生じさせずに、かつ、そのＳＦにおける移動通信装置の参照信号の測定を防ぐことができるため、接続性やチャネル推定品質を維持しながら、干渉を低減することが可能となる。
【００１５】
また、基地局装置は、移動通信装置に送信するトラフィックの量が低く安定している場合は、例えば図２（ｂ）のように、ほとんどのサブフレームにおいて参照信号を送信しないようにしてもよい。図２（ｂ）の例の場合、基地局装置は、各フレームに含まれるサブフレームのうち、１番目のＳＦのみにおいて参照信号を送信する。このため、基地局装置は、この参照信号の送信制御を実行する前に、移動通信装置へ各フレームの１番目のＳＦのみで参照信号を送信することを示す情報とその他のＳＦでは参照信号を送信しないことを示す情報との少なくともいずれかを移動通信装置へ通知する。これにより、参照信号による干渉を大幅に削減することが可能となる。
【００１６】
なお、移動通信装置へ送信するトラフィックが存在するＳＦにおいては、参照信号も併せて送信される。換言すれば、参照信号が送信されないＳＦにおいてトラフィックは送信されない。したがって、基地局装置は、送信すべきトラフィックの量に応じて、参照信号を送信するＳＦと送信しないＳＦ、特に参照信号を送信しないＳＦの数を決定してもよい。
【００１７】
また、基地局装置は、所定のＳＦにおいて干渉がない環境での移動通信装置に対する信号送信を望む場合に、隣接セルの基地局装置に対して、その所定のＳＦにおける参照信号の送信の停止を要求してもよい。基地局装置は、隣接セルの基地局装置から、この要求を取得すると、この要求に応じて、指定されたＳＦにおける参照信号の送信を停止してもよい。
【００１８】
また、各フレーム単位に参照信号の送信を停止するＳＦを定めずに、図２（ｃ）に示すように、複数のフレームに跨って、参照信号の送信を停止するＳＦを定めてもよい。図２（ｃ）の例では、基地局装置は、複数のフレームのうち、１番目のフレームの、１番目と３番目のＳＦにおいてのみ参照信号を送信し、他のＳＦでは参照信号を送信しない。この場合、基地局装置は、複数のフレームのうちどのＳＦにおいて参照信号を送信するかの情報と、複数のフレームのうちどのＳＦにおいて参照信号を送信しないかの情報との少なくともいずれかを移動通信装置へ通知する。これにより、参照信号を停止するサブフレームを、高い自由度で選択することができる。
【００１９】
以上のように、隣接セルの基地局装置が一部のＳＦにおいて参照信号の送信を停止するため、そのＳＦの間に移動通信装置が受信した信号は、その隣接セルの基地局装置からの干渉を受けずに済む。そして、移動通信装置は、受信信号において干渉が低減されるのに加えて、基地局装置から通知される情報に基づいて、参照信号が送信されるＳＦを知ることができるため、参照信号が存在するＳＦにおいてのみ参照信号の観測を実行することができる。したがって、参照信号が送信されていないＳＦにおいて誤って観測を実行し、基地局装置との接続を確保できなくなるということがなくなる。
【００２０】
以下では、基地局装置及び移動通信装置の構成及び処理の例を詳細に説明する。なお、本実施形態では、移動通信装置を例として説明するが、無線により基地局装置と通信する通信装置であればよく、以下で説明される移動通信装置は、例えば、１つの場所に固定されている通信装置と置き換えられてもよい。
【００２１】
（基地局装置及び移動通信装置のハードウェア構成例）
図３に基地局装置及び移動通信装置のハードウェア構成例を示す。基地局装置及び移動通信装置は、一例において、図３に示すような、同様のハードウェア構成を有し、例えば、ＣＰＵ３０１、ＲＯＭ３０２、ＲＡＭ３０３、外部記憶装置３０４、及び通信装置３０５を有する。基地局装置及び移動通信装置では、例えばＲＯＭ３０２、ＲＡＭ３０３及び外部記憶装置３０４のいずれかに記録された、以下に示す基地局装置及び移動通信装置の各機能を実現するプログラムがＣＰＵ３０１により実行される。そして、基地局装置及び移動通信装置は、通信装置３０５を用いて、基地局と移動通信装置との間の通信、又は基地局間通信を行う。なお、図３では、基地局装置及び移動通信装置は、１つの通信装置３０５を有するとしているが、例えば、基地局装置が基地局間通信用の通信装置及び移動通信装置との間の通信装置を有するなどのように、複数の通信装置を有してもよい。
【００２２】
なお、基地局装置及び移動通信装置は、以下に説明する各機能を実行する専用のハードウェアを備えてもよいし、一部をハードウェアで実行し、プログラムを動作させるコンピュータでその他の部分を実行してもよい。また、以下の全機能をコンピュータとプログラムにより実行させてもよい。
【００２３】
（基地局装置の機能構成）
図４は、基地局装置の機能構成例を示すブロック図である。基地局装置は、例えば、参照信号送信制御部４０１、参照信号送信パターン通知部４０２、及び無線通信部４０３を有する。また、基地局装置は、場合によっては、他局情報収集部４０４と参照信号送信ＳＦ決定部４０５との少なくともいずれかを有してもよい。
【００２４】
参照信号送信制御部４０１は、サブフレームごとに、参照信号を送信するか否かを制御する。このとき、参照信号を送信するか否かのパターンは予め定められていてもよい。すなわち、例えば、恒常的に送信すべきトラフィック量が少ないエリアをカバーする基地局装置は、所定数のフレームごとに、所定回数の予め定められたサブフレームにおいてのみ参照信号を送信することが定められていてもよい。また、例えば、時刻ごとに一定のパターンで送信すべきトラフィック量が変動するエリアをカバーする基地局装置に対しては、参照信号が送信されるサブフレームのパターンが、時間ごとに定められたパターンに従って自動的に切り替えられてもよい。
【００２５】
参照信号送信パターン通知部４０２は、参照信号送信制御部４０１が参照信号の送信と停止を行うパターンを、移動通信装置へ通知する情報として生成する。なお、参照信号送信パターン通知部４０２は、参照信号送信パターンが常に一定の場合は、不図示の記憶部に記憶されたそのパターンに基づいて通知する信号を生成してもよく、その場合は、参照信号送信制御部４０１からパターン情報を取得する必要はない。なお、参照信号送信パターンが一定の場合であっても、その基地局装置のエリアに新たに進入してきた移動通信装置にそのパターンを通知するために、参照信号送信パターン情報が周期的に送信されてもよい。
【００２６】
無線通信部４０３は、移動通信装置と通信を行う機能部である。参照信号送信パターンの通知と、参照信号、送信データがある場合は参照信号と共にデータ信号の送信を行う。また、本実施形態では詳細に説明しないが、信号の受信を含め、一般的な基地局装置としての、移動通信装置との間の無線通信を行う機能をも有する。
【００２７】
他局情報収集部４０４は、他の基地局装置の参照信号送信パターン、例えば、全ての隣接セルの基地局装置に関する参照信号送信パターンの情報を収集する。収集した情報は、参照信号送信パターン通知部４０２へ出力される。参照信号送信パターン通知部４０２は、収集された他の基地局装置に関する参照信号送信パターンをまとめて、移動通信装置へ通知する。なお、参照信号送信制御部４０１は、自局の参照信号送信パターンを他の基地局装置へ送信し、他の基地局装置が、同様に参照信号送信パターンを収集することができるようにする。
【００２８】
参照信号送信ＳＦ決定部４０５は、例えば、送信すべきトラフィック量が安定せず、場合によって参照信号を送信すべきサブフレームが増減する場合などに、そのときの状況に応じてどのサブフレームで参照信号を送信するかを決定する。また、参照信号送信ＳＦ決定部４０５は、例えば、他の基地局装置から、少なくとも一部のＳＦについての参照信号の送信の停止要求を取得した場合は、その要求に応じて、サブフレームの送信停止を決定する。そして、参照信号送信制御部４０１は、決定された参照信号送信パターンに応じて、参照信号の送信を制御することができる。
【００２９】
（移動通信装置の機能構成）
図５は、移動通信装置１０２及び１０４の機能構成例を示すブロック図である。移動通信装置は、例えば、無線通信部５０１、参照信号測定制御部５０２、及び参照信号測定部５０３を有する。
【００３０】
無線通信部５０１は、サービング基地局装置又は隣接セルの基地局装置から、参照信号送信パターンの情報を受信し、その情報を参照信号測定制御部５０２へ通知する。また、受信した信号を参照信号測定部５０３へ転送する。なお、本実施形態では詳細に説明しないが、無線通信部５０１は、信号の送信を含む、一般的な移動通信装置としての、基地局装置との間の無線通信を行う機能をも有する。
【００３１】
参照信号測定制御部５０２は、通知された情報に基づいて、参照信号の測定とその停止とを制御する。具体的には、基地局装置から参照信号を送信しないと通知されたサブフレームにおいては参照信号を測定せずに、参照信号が送信されるサブフレームにおいてのみ参照信号を測定するように、参照信号測定部５０３を制御する。なお、参照信号測定制御部５０２は、参照信号が送信されるサブフレームの少なくとも一部において参照信号を測定するように参照信号測定部５０３を制御すればよく、その全てのサブフレームにおいて参照信号を測定しなくてもよい。すなわち、参照信号測定制御部５０２は、参照信号を測定するサブフレームを、参照信号が送信されるサブフレームの中から自律的に選択してもよい。参照信号測定部５０３は、参照信号測定制御部５０２の制御に基づいて、参照信号の観測を行う。
【００３２】
なお、複数の基地局装置から個別に参照信号送信パターンを取得した場合、参照信号測定制御部５０２は、その複数の基地局装置のいずれもが参照信号を送信しないサブフレームでは参照信号を測定しないように、参照信号測定部５０３を制御する。そして、参照信号測定制御部５０２は、少なくとも１つの基地局装置が参照信号を送信するサブフレームにおいて参照信号を測定するように、参照信号測定部５０３を制御する。この場合、ある基地局装置について、その参照信号送信パターンを取得できるということは、その基地局装置が移動通信装置の在圏するセルの近隣のセル又は隣接セルの基地局装置であることを意味する。したがって、移動通信装置は、他の基地局装置から受信した参照信号送信パターンに応じてこのような基地局装置からの参照信号についても測定しておくことによって、例えば、その測定結果を用いて、移動時のハンドオフ先を決定することができる。
【００３３】
一方、参照信号測定制御部５０２は、サービング基地局から、複数の基地局装置の参照信号送信パターンの情報を一括して取得してもよい。この場合、参照信号測定制御部５０２は、その複数の基地局装置の中から、移動通信装置自身が所定値以上の電力で参照信号を受信できる、少なくとも一部の基地局装置を特定する。具体的には、移動通信装置は、例えば、自らの位置に応じて、どの基地局装置の参照信号を所定値以上の電力で受信できるはずかをサービング基地局に問い合わせてもよい。また、移動通信装置は、過去に測定した参照信号又はその他の信号に基づいて、参照信号を所定以上の電力で受信できるはずの基地局装置を特定してもよい。
【００３４】
そして、参照信号測定制御部５０２は、この特定された基地局についての参照信号送信パターンのみを抽出し、抽出したパターンに基づいて、参照信号を測定するサブフレームを決定する。具体的には、参照信号測定制御部５０２は、特定された基地局装置のいずれもが参照信号を送信しないサブフレームでは参照信号を測定しないことを決定する。また、参照信号測定制御部５０２は、特定された基地局装置の少なくとも１つが参照信号を送信するサブフレームにおいて参照信号を測定することを決定する。このように、他の基地局装置に関する参照信号送信パターンに従って近隣の基地局装置からの参照信号をも測定しておくことで、移動通信装置は、例えば、この測定結果を用いて、移動時のハンドオフ先を決定することができる。また、取得した参照信号送信フレーム情報のうち、不必要に多くの基地局装置の参照信号送信パターンを考慮しなくてもよくなり、参照信号の測定に関する処理量が軽減される。
【００３５】
（参照信号送信パターン情報の例）
図６〜図８を用いて、基地局装置から移動通信装置へ通知される参照信号送信パターンの情報の例について説明する。
【００３６】
図６は、１つ以上のフレームの各サブフレームにおいて、参照信号を送信するサブフレームをビット「０」で、参照信号を送信しないサブフレームをビット「１」で表すビットマップを参照信号送信パターンとした場合の例を示している。なお、図６とは逆に、参照信号を送信するサブフレームをビット「１」で、参照信号を送信しないサブフレームをビット「０」で表してもよい。図６の例では、例えば、０番目、２番目、３番目、及び７〜９番目のサブフレームにおいて参照信号が送信される。一方、１番目、４〜６番目のサブフレームにおいては、参照信号は送信されない。このように、各サブフレームに１ビットを割り当て、ビットマップとして参照信号を送信するか否かを通知することで、基地局装置と移動通信装置との間で、シンプルな構成で参照信号送信パターンを共有することが可能となる。
【００３７】
図７は、所定数のＳＦごとに繰り返し参照信号が送信されない場合に、参照信号が送信されないＳＦの先頭のサブフレーム番号を示すインデックス初期値と、参照信号が送信されないＳＦが出現する周期とを参照信号送信パターンとした場合の例を示している。図７の例では、３番目のサブフレームから４サブフレームごとに参照信号が送信されないことを示している。すなわち、この情報によって、３番目、７番目、１１番目、…、４×ｎ＋３番目（ｎは整数）のサブフレームにおいて、参照信号が送信されないことが示されている。このように周期的に参照信号を送信しないサブフレームが生じる場合は、参照信号が送信されない最初のサブフレームのインデックスの初期値と、参照信号が送信されない周期の情報とを通知することにより、通知する情報量を削減することができる。
【００３８】
なお、２つ以上の周期の情報が同時に通知されてもよい。例えば、０番目のサブフレームから７サブフレーム周期、及び１番目のサブフレームから８サブフレーム周期で参照信号が送信されない、などの情報が通知されてもよい。この例の場合では、０番目、１番目、７番目、９番目、１４番目、１７番目…のサブフレームにおいて、参照信号が送信されないこととなる。なお、例えば、周期が同じ２つ以上の情報が送信される場合は、１つの情報における周期以外の周期の情報の通知は省略されてもよい。例えば、０番目と３番目のサブフレームから、４サブフレームごとに参照信号が送信されない、などのような指定においては、周期情報「４」は１回だけ送信されるようにしてもよい。同様に、最初に参照信号が送信されないサブフレームのインデックスの初期値が２つ以上の情報において共通する場合は、初期値の情報は１度だけ通知されてもよい。
【００３９】
図８は、基地局装置と移動通信装置との間で、予め複数の参照信号送信パターンを共有しておき、パターンを指定する情報を参照信号送信パターン情報として用いる場合の、共有される複数の参照信号送信パターンを概略的に示している。図８においては、パターンインデックス「１」は、２番目、１２番目、２２番目、及び３２番目のサブフレームにおいて参照信号が送信されない参照信号送信パターンに対応する。同様に、パターンインデックス「２」は、３番目、１１番目、２３番目、及び３１番目のサブフレームにおいて参照信号が送信されない参照信号送信パターンに対応する。基地局装置は、自らが使用する参照信号送信パターンに対応するパターンインデックスを移動通信装置に通知する。これにより、基地局装置は、いずれのＳＦにおいて参照信号を送信しないかの情報を少ない情報量で移動通信装置へ通知することが可能となる。
【００４０】
なお、図８の例では、参照信号を送信しないＳＦの数が４つの場合の例を示しているが、これに限られず、参照信号が送信されないＳＦの数が様々な値であってもよい。また、パターンインデックスは、例えばいくつかのグループに分けられて管理されてもよく、この場合は、基地局装置は、どのグループの、どのパターンを用いるかを移動通信装置へ通知してもよい。例えば、参照信号を送信しないＳＦの数に応じて、パターンをグループ化しておき、基地局装置は、参照信号を送信しないＳＦの数と、その数に応じたパターンのグループのうち、どのパターンを使用するかを、移動通信装置に通知してもよい。これにより、基地局装置は、少ない情報量で様々なパターンを移動通信装置へ通知することが可能となる。
【００４１】
なお、基地局装置は、上述の各パターン情報に加えて、複数のフレームのうち、参照信号を送信しないフレームが存在する場合は、そのフレームの情報を移動通信装置へ通知してもよい。すなわち、例えば図２（ｃ）のようなパターンを用いる場合は、最初の（１番左の）フレーム以外では、参照信号が送信されないことを示す情報が、移動通信装置に通知されてもよい。また、最初のフレームについては、上述のパターン情報のいずれかにより参照信号送信パターン情報が通知されてもよい。
【００４２】
（基地局装置の処理）
続いて、基地局装置が実行する処理について説明する。図９は、基地局装置が実行する処理の流れを示すフローチャートである。基地局装置は、大まかには、参照信号送信パターンの情報を生成する処理（Ｓ９０１〜Ｓ９０５）と、生成した参照信号送信パターン情報を移動通信装置へ通知する処理（Ｓ９０６）とを実行する。なお、図９のフローには、場合によっては省略してもよい処理が含まれていることに留意されたい。
【００４３】
まず、基地局装置は、送信すべきトラフィック量を特定し（Ｓ９０１）、隣接セルの基地局から参照信号の送信停止を要求するＳＦについての情報を取得する（Ｓ９０２）。トラフィック量の特定と、送信停止要求の取得とは、逆の順序で実行されてもよいし、いずれか又は両方が実行されなくてもよい。なお、これらの処理が共に実行されない場合は、Ｓ９０３の処理も実行されなくてもよい。
【００４４】
続いて、特定されたトラフィック量と取得した送信停止要求情報とに基づいて、参照信号の送信を停止すべきＳＦを決定し、参照信号送信パターンを決定する（Ｓ９０３）。なお、予め定められたパターンを使用する場合は、この処理は実行されなくてもよい。その後、隣接セルの参照信号送信パターンの情報を収集する（Ｓ９０４）。なお、各基地局装置が独自に参照信号送信パターンを移動通信装置に通知する場合には、この処理は実行されない。そして、使用する参照信号送信パターンの情報と、収集した場合は隣接セルの参照信号送信パターンとに基づいて、移動通信装置へ通知する参照信号送信パターン情報を生成する（Ｓ９０５）。情報が生成されると、基地局装置は、その情報を移動通信装置へ通知する（Ｓ９０６）。
【００４５】
（移動通信装置の処理）
図１０に、移動通信装置が実行する処理の流れのフローチャートを示す。移動通信装置は、参照信号の測定に先立って、基地局装置から参照信号送信パターンを受信する（Ｓ１００１）。ここで、サービング基地局から、サービングセルの隣接セルの基地局装置に関する参照信号送信パターンをも併せて受信した場合、移動通信装置は、その中から、少なくとも一部の参照信号の測定に用いる参照信号送信パターンを選択する。なお、複数の基地局装置からそれぞれ参照信号送信パターン情報を取得した場合は、このような選択処理は不要である。
【００４６】
そして、移動通信装置は、通知を受けた参照信号送信パターンに基づいて、参照信号が送信されないＳＦにおいては参照信号の測定を行わず、参照信号が送信されるＳＦにおいてのみ参照信号を測定する（Ｓ１００２）。複数の基地局装置の参照信号送信パターンが存在する場合は、これらの基地局装置のうちいずれもが参照信号を送信しないサブフレームでは参照信号の測定を行わず、少なくともいずれかが参照信号を送信するサブフレームにおいて参照信号の測定を行う。
【００４７】
これにより、基地局装置は、参照信号を送信する頻度を抑えることが可能となるため、参照信号が隣接セルに存在する移動通信装置の通信に干渉することを抑えることが可能となる。一方で、移動通信装置は、参照信号が送信されるタイミングを正確に特定することができるようになるため、誤って参照信号が送信されないタイミングで参照信号を測定することによる不利益を受けずに済むようになる。したがって、基地局装置と移動通信装置との間の接続性やチャネル推定品質を担保しながら、システム全体としての干渉量を削減することが可能となる。
【図１】
2015032996.tif 000003
【図２】
2015032996.tif 000004
【図３】
2015032996.tif 000005
【図４】
2015032996.tif 000006
【図５】
2015032996.tif 000007
【図６】
2015032996.tif 000008
【図７】
2015032996.tif 000009
【図８】
2015032996.tif 000010
【図９】
2015032996.tif 000011
【図１０】
2015032996.tif 000012